(57)【特許請求の範囲】
【請求項１】
携帯通信機器と複数のパーテイとの間で音声通信を制御する該携帯通信機器の制御方法であって、
前記携帯通信機器と少なくとも２つのパーテイとの間の接続を確立するステップ（ステップ２０２）と、
前記携帯通信機器のユーザによってなされた入力を通じて、他の接続された複数のパーテイのうちの１つの位置の選択を検出するステップ（ステップ２０４）と、
前記携帯通信機器との関連において、前記他の接続されたパーテイを映像スペースにおいてそれぞれ別の位置へ配置するステップ（ステップ２０６）と、
前記携帯通信機器のユーザがより簡単にどのパーテイが稼動中であるかを識別可能とするために、前記接続されたパーテイが前記接続を介して音声情報を提供する際に、前記他の接続された複数のパーテイのうちの１つの前記位置との関連において情報を提供するステップ（ステップ２０８、２１６）と、を含み、
前記他の接続されたパーテイを映像スペースにおいてそれぞれ別の位置へ配置する前記ステップは、前記映像スペースの配置に従って音声スペースを配置するステップを含み、
前記情報を提供する前記ステップは、前記ユーザによってなされた入力に基づいて処理した、前記他の接続されたパーテイのうちの１つからの音声情報を提供するステップ（ステップ２１２、２１６）を含み、
処理した前記音声情報は、情報提示ユニットによって提示される際に、前記他の接続されたパーテイの音声スペースに配置されているように認識されることを特徴とする方法。
【請求項２】
前記情報を提供する前記ステップは、画面に映像情報を提供するステップを含むことを特徴とする請求項１に記載の方法（ステップ２０８）。
【請求項３】
前記情報を提供する前記ステップは、前記他の接続された複数のパーテイのうちの１つが前記接続を介して音声情報を提供する際に、前記他の接続された複数のパーテイのうちの１つに関連付けられる表示を提供するステップを含むことを特徴とする請求項１又は２に記載の方法（ステップ２０８、２１６）。
【請求項４】
前記情報を提供する前記ステップは、テキスト及び画像情報の少なくとも１つを提供するステップを含むことを特徴とする請求項２又は３に記載の方法（ステップ２０８）。
【請求項５】
前記情報を提供する前記ステップは、前記提供された表示を稼動する情報を提供するステップを含むことを特徴とする請求項３に記載の方法（ステップ２０８）。
【請求項６】
前記情報を提供する前記ステップは、前記提供されたテキスト及び画像情報の少なくとも１つを稼動する情報を提供するステップを含むことを特徴とする請求項４に記載の方法（ステップ２０８）。
【請求項７】
前記他の接続されたパーテイを映像スペースにおいてそれぞれ別の位置へ配置する前記ステップは、音声情報の処理を提供するときに使用されることとなる制御情報を決定するステップを含むことを特徴とする請求項１に記載の方法（ステップ２０６）。
【請求項８】
音声情報を提供する前記ステップは、前記他の接続された複数のパーテイのいずれか１つの前記音声情報を処理するステップを含み、それにより、前記情報提示ユニットによって提示される際に、前記処理された音声情報が、前記他のパーテイの前記音声スペースに配置されていると認識されることを特徴とする請求項１に記載の方法（ステップ２１２、２１６）。
【請求項９】
音声情報を提供する前記ステップは、前記音声情報の２つの音声ストリームの重み付けを含み、それにより、処理された音声情報は、前記情報提示ユニットにより提示される際に、前記他のパーテイの前記音声スペースに配置されていると認識されることを特徴とする請求項８に記載の方法（ステップ２１２、２１６）。
【請求項１０】
複数のパーテイとの間で音声通信を制御する携帯通信機器（１００；４０２）であって、
前記音声通信において、少なくとも２つの他のパーテイと通信を行う通信ユニット（１０２）と、
ユーザ入力を受けるように構成されたユーザ入力ユニット（１１２）と、
前記ユーザ入力ユニットでのユーザからの入力にしたがって、映像スペースの異なる位置に他の接続された複数のパーテイの配置を可能とするように構成され、さらに前記ユーザ入力ユニット（１１２）を介して、前記他の接続された複数のパーテイのうちの１つの位置の選択を検出するように構成された制御ユニット（１０６）と、
少なくとも１つの情報提示ユニットであって、前記他の接続された複数のパーテイのうちの１つが接続を通じて音声情報を提供しているときに、前記制御ユニット（１０６）が、前記他の接続された複数のパーテイのうちの１つの位置に関連して情報を提供するように構成され、それにより、前記携帯通信機器のユーザがより簡単にどのパーテイが稼働中であるかを識別できる前記情報提示ユニット（１０８、１１０）とを備え、
前記制御ユニットは、前記他の接続されたパーテイを配置する際に、前記映像スペースの配置に従って音声スペースを配置する制御情報を決定するとともに、前記他の接続された複数のパーテイのうちの１つからの音声情報を提供するように構成され、前記音声情報は、前記情報提示ユニットにおいて提示される際に、前記他のパーテイの音声スペースに配置されているように認識されることを特徴とする携帯通信機器（１００；４０２）。
【請求項１１】
前記制御情報に基づいて、前記他の接続された複数のパーテイのうちの１つからの前記音声情報を処理し、かつ、前記処理された音声情報を、少なくとも１つの情報提示ユニット（１０８、１１０）に送るように構成された音声処理ユニット（１０４）をさらに備え、
前記少なくとも１つの情報提示ユニット（１０８、１１０）に前記音声情報が提示される際に、前記音声情報が前記パーテイの前記音声スペースに配置されているものと認識されることを特徴とする請求項１０に記載の携帯通信機器（１００）。
【請求項１２】
前記音声情報を処理するように構成される場合に、前記音声処理ユニット（１０４)は、前記音声情報の処理された２つの異なる音声ストリームが提供されるように、前記音声情報を処理することを特徴とする請求項１１に記載の携帯通信機器（４０２）。
【請求項１３】
前記通信ユニットは、前記他の接続された複数のパーテイのうちの１つからの音声情報を処理するために、前記制御情報を外部処理ユニット（４０６）に送るようにさらに構成され、
前記少なくとも１つの情報提示ユニットで前記音声情報が提示される際に、前記通信ユニットは、前記処理された音声情報を前記外部処理ユニットから受信し、前記他の接続された複数のパーテイのうちの１つの音声スペースに配置されているものとして前記音声情報が認識されるように各種処理を実行した後に、前記処理した音声情報を情報提示ユニットへ送信するように構成されることを特徴とする請求項１０に記載の携帯通信機器（４０２）。
【請求項１４】
前記少なくとも１つの情報提示ユニット（１０８、１１０）は、少なくとも２つのスピーカを備え、
前記他の接続された複数のパーテイのうちの１つの認識された音声スペースの位置が、前記スピーカの位置に関係することを特徴とする請求項１０に記載の携帯通信機器（１００；４０２）。
【請求項１５】
前記他の接続されたパーテイを配置する際に、前記他の接続された複数のパーテイのうちの１つの映像スペースの前記位置にあるものとして認識される映像情報の提供のために、前記制御ユニットは、映像スペースにおける配置を可能とする制御情報を決定するように構成されることを特徴とする請求項１０に記載の携帯通信機器（１００；４０２）。
【請求項１６】
前記制御ユニットはさらに、前記少なくとも１つの情報提示ユニット（１０８、１１０）を使用して、前記他の接続された複数のパーテイの表示の提示用の制御情報を決定するように構成されることを特徴とする請求項１５に記載の携帯通信機器（１００；４０２）。
【請求項１７】
前記制御情報は、前記少なくとも１つの情報提示ユニット（１０８、１１０）を使用して、前記他の接続された複数のパーテイの１つの表示を起動するための情報を備えることを特徴とする請求項１６に記載の携帯通信機器（１００；４０２）。
【請求項１８】
前記少なくとも１つの情報提示ユニット（１０８、１１０）は、画面を備えることを特徴とする請求項１０に記載の携帯通信機器（１００；４０２）。
【請求項１９】
前記ユーザ入力ユニットは、画面を備え、前記画面は、ユーザが”ドラッグ及びドロップ”の形で情報の入力を許可することを特徴とする請求項１０に記載の携帯通信機器（１００；４０２）。
【発明の詳細な説明】
【技術分野】
【０００１】
本発明は、複数パーテイの間の音声通信中におけるパーテイの配置に関する。特に、携帯通信機器、音声通信において携帯通信機器を他のパーテイと結合する方法、音声通信において結合されることとなる通信接続機器、及びこの通信接続機器を使用して携帯通信機器を他のパーテイと結合するシステムに関する。
【背景技術】
【０００２】
遠距離通信における技術開発において、セルラネットワークがより高い使用可能な帯域幅を有するものとして提供されている。これは、移動体電話機のような携帯通信機器に提供することが可能なその型式の機能性にますますなる。そのような機能性の１つは、同時に、又は事実上同時に複数の他のパーテイと同じ時間に通信する能力である。
【発明の開示】
【発明が解決しようとする課題】
【０００３】
しかしながら、携帯通信機器にこの型式の機能性を提供するとき、多くのパーテイが参加している場合、その時どのパーテイが話しているかを認識するのは難しい。したがって、１つのパーテイを区別し、他のパーテイとの区別をつけるのは、殆どの場合不可能である。
【０００４】
会議又はマルチパーテイ通話において、誰が何を言っているのかを簡単に区別できると、それは利点となる。
【０００５】
したがって、会議通話又はマルチパーテイ通話において、簡単な識別及び区別を実行する機器及び方法を提供する要求がある。
【課題を解決するための手段】
【０００６】
本発明は、携帯通信機器との関連において、会議通話中に誰が何を話しているのかを、簡単に識別する課題の解決に関するものである。
【０００７】
これは、スペースにパーテイを配置し、稼動中のパーテイの位置に関連する情報を提供することにより実行され、それにより、ユーザはより簡単にどのパーテイが稼動しているのかを識別することが出来る。
【０００８】
本発明の第１番目の目的は、音声通信において、携帯通信機器を多くのパーテイと結合する方法を提供することであって、それにより、前記携帯通信機器のユーザは、より簡単に誰が稼動中であるかを判断出来、１つのパーテイを他のパーテイと区別することが出来る。
【０００９】
本発明によれば、前記目的は、携帯通信機器と複数のパーテイとの間で音声通信を制御する該携帯通信機器の制御方法であって、前記携帯通信機器と少なくとも２つのパーテイとの間の接続を確立するステップ（ステップ２０２）と、前記携帯通信機器のユーザによってなされた入力を通じて、他の接続された複数のパーテイのうちの１つの位置の選択を検出するステップ（ステップ２０４）と、前記携帯通信機器との関連において、前記他の接続されたパーテイを映像スペースにおいてそれぞれ別の位置へ配置するステップ（ステップ２０６）と、前記携帯通信機器のユーザがより簡単にどのパーテイが稼動中であるかを識別可能とするために、前記接続されたパーテイが前記接続を介して音声情報を提供する際に、前記他の接続された複数のパーテイのうちの１つの前記位置との関連において情報を提供するステップ（ステップ２０８、２１６）と、を含み、前記他の接続されたパーテイを映像スペースにおいてそれぞれ別の位置へ配置する前記ステップは、前記映像スペースの配置に従って音声スペースを配置するステップを含み、
前記情報を提供する前記ステップは、前記ユーザによってなされた入力に基づいて処理した、前記他の接続されたパーテイのうちの１つからの音声情報を提供するステップ（ステップ２１２、２１６）を含み、処理した前記音声情報は、情報提示ユニットによって提示される際に、前記他の接続されたパーテイの音声スペースに配置されているように認識されることを特徴とする方法で達成できる。
【００１０】
また、本発明によれば、前記目的は、複数のパーテイとの間で音声通信を制御する携帯通信機器（１００；４０２）であって、前記音声通信において、少なくとも２つの他のパーテイと通信を行う通信ユニット（１０２）と、ユーザ入力を受けるように構成されたユーザ入力ユニット（１１２）と、前記ユーザ入力ユニットでのユーザからの入力にしたがって、映像スペースの異なる位置に他の接続された複数のパーテイの配置を可能とするように構成され、さらに前記ユーザ入力ユニット（１１２）を介して、前記他の接続された複数のパーテイのうちの１つの位置の選択を検出するように構成された制御ユニット（１０６）と、少なくとも１つの情報提示ユニットであって、前記他の接続された複数のパーテイのうちの１つが接続を通じて音声情報を提供しているときに、前記制御ユニット（１０６）が、前記他の接続された複数のパーテイのうちの１つの位置に関連して情報を提供するように構成され、それにより、前記携帯通信機器のユーザがより簡単にどのパーテイが稼働中であるかを識別できる前記情報提示ユニット（１０８、１１０）とを備え、前記制御ユニットは、前記他の接続されたパーテイを配置する際に、前記映像スペースの配置に従って音声スペースを配置する制御情報を決定するとともに、前記他の接続された複数のパーテイのうちの１つからの音声情報を提供するように構成され、前記音声情報は、前記情報提示ユニットにおいて提示される際に、前記他のパーテイの音声スペースに配置されているように認識されることを特徴とする携帯通信機器（１００；４０２）で達成できる。
【発明の効果】
【００４０】
本発明は以下の利点を有する。
【００４１】
本発明による携帯通信機器を使用することで、会議通話において、及びマルチパーテイ通話において、ユーザはより簡単に誰が何を話しているのかを追跡することが出来る。
【００４２】
携帯通信機器のユーザは、動作しているパーテイを識別出来る。
【００４３】
ネットワーク運用者は、複数の回線が使われているので、通話が多くの通話として課金され、多くの収益を受ける。
【００４４】
携帯通信機器を、高価で、重く、固定され、多くの場所を必要とするビデオ会議機器に代りに使うことが出来る。
【００４５】
本発明は、会議ブリッジ又は会議通話を設定する会議サービスの発呼を排除する。これは、より安く、より安全性のある内部会議通話を可能とする。
【発明を実施するための最良の形態】
【００４６】
本発明は、携帯通信機器及び音声通信における前記携帯通信機器を他のパーテイと結合する方法、音声通信において結合されることとなる通信接続機器、及び音声通信において前記携帯通信機器を前記他のパーテイと結合するシステムの提供に関する。
【００４７】
本発明の好ましい実施例による携帯通信機器１００の模式図を示す図１を参照する。携帯通信機器１００は、他の接続されたパーテイと通信するため情報を前記他のパーテイへ、そして、から、送信し及び受信する通信ユニット１０２を備える。
【００４８】
携帯通信機器は、また、音声処理ユニット１０４をさらに制御する制御ユニット１０６からの情報に基づき、接続されたパーテイからの音声情報を処理するための音声処理ユニット１０４を備え、その処理ユニットは、音声情報を提示するためのスピーカ１０８の形の第１情報提示ユニットに接続される。
【００４９】
制御ユニット１０６はまた、前記音声情報に関連した映像情報の提示のための画面１１０の形の第２情報提示ユニットに接続される。キー、キーパッド、タッチスクリーン、サムホイール等のユーザ入力ユニット１１２から、ユーザは携帯通信機器１００を制御する。プログラム情報とパーテイ接続情報とを含むメモリユニット１１４は制御ユニット１０６に接続される。
【００５０】
本発明における、音声通信での携帯通信機器を少なくとも２つのパーテイに結合する方法が、図１及び図２との関連において説明され、そこにおいて、後者（図２）は前記方法のフローチャートを示す。
【００５１】
携帯通信機器のユーザは、たとえば機器の会議モードを選び、通信したいパーテイを選択する。各パーテイ用に、各パーテイの表示は、たとえば、写真、前記パーテイのリーダ、名前、又はそのパーテイに関連した物の形で携帯通信機器の画面上に提示される。本発明によれば、これらの表示は、テーブルの前にある携帯通信機器のユーザの表示と前記テーブルの周囲で配信された会議に参加しているパーテイの写真の形の表示と共に画面上の会議テーブルの周囲に位置される。ユーザは、画面上で初期設定による前記表示の配信を受け、そして、ドラッグ／ドロップ機能により各表示の位置も変更できる。あるいは、この位置の変更は、キー、サムホイール等を使用して行うことができる。したがってユーザは、自分の意思と嗜好にしたがって、会議テーブルの周囲の画面上に表示を配置することが出来る。また、会議背景とは異なる背景の選択は、嗜好に従いユーザにより行うことが出来る。ユーザは、したがって、画面に表示されている選択肢から他のプリセットされている会議背景を変えるオプションを持つ。参加しているユーザの表示の映像環境は、従って、携帯通信機器のユーザによって、参加しているパーテイ及び／又は議論している話題に適当に合わせることが出来る。
【００５２】
上記で示したように、パーテイの表示はユーザによって選択される。各パーテイの１つの好ましい表示は、このパーテイの写真であり、その写真は、携帯通信機器の接続メモリユニットからアクセスすることが出来る。写真情報を含む前記接続メモリユニットに含まれる接続情報は、当然にして、会議通話の前、又は関連していつでも、例えばＭＭＳメッセージを使用して各パーテイ又は小集団に配信されることが出来る。
【００５３】
本発明における方法において、携帯通信機器１００は、ユーザがユーザ入力ユニット１１２を使用した結果として、ステップ２０２で、２つの他のパーテイとの接続を確立する。この接続は、例えば、携帯通信機器と２つの他の参加しているパーテイのそれぞれとの間の単一の双方向接続である。ここで、ユーザは、同時に他のパーテイの両方を聞くことが出来、他のパーテイはいつでも前記ユーザを聞くことが出来る。
【００５４】
携帯通信機器１００の制御ユニット１０６は、ステップ２０４で、ユーザによりなされた入力に基づき、その後、他の接続されたパーテイのいずれか１つの位置の選択を検出する。この選択は、先に説明した初期設定の位置、又は変更された位置で行われる。この位置の選択の際、本発明の好ましい実施例によれば、携帯通信機器１００の制御ユニット１０６は、ステップ２０６において、音声スペースと同様に、映像スペースに他の接続されたパーテイを配置する。音声スペースにおける配置は、ステップ２０６において、制御ユニット１０６による制御情報の判断にしたがって可能とされる。この制御情報が音声処理に必要であることが、後に理解される。携帯通信機器１００の制御ユニット１０６は、そのためステップ２０８で、各接続されたパーテイの表示を画面１１０の形で第２の情報提示ユニットに提供する。各及び全ての他の接続されたパーテイに対し、パーテイが稼動中であるときはいつでも、すなわち、音声情報を提供しているときはいつでも、携帯通信機器１００の音声処理ユニット１０４は、ステップ２１２で、制御ユニット１０６から受信した制御情報に基づき、稼動中のパーテイからの音声情報を処理する。
【００５５】
好ましい実施例によれば、この音声処理は、制御ユニット１０６で受信した制御情報にしたがって、音声情報を２つの音声ストリ−ムに分割し、これらのストリームを処理することを含む。好ましい処理は、たとえばこの２つのストリームの重み付けにより、この２つのストリームを振幅変調すること及び／又は、互いに関連してこの２つのストリームの一方又は他方を遅延することを含む。受信した音声情報の分割したストリームの振幅変調及び／又は遅延を含む音声処理は、他の接続されたパーテイの、稼動中である１つのパーテイの位置に配置されている処理された音声情報の認知を可能とするキーである。
【００５６】
そして、制御ユニット１０６は、画面１１０に制御情報を送り、ステップ２１４で、稼働中のパーテイの表示を起動し、ステップ２１６で、１対のスピーカ１０８を使用して音声情報を提供し、それにより音声情報は、他の接続されたパーテイの、稼動中である１つのパーテイの位置に配置されているとして認知される。この１対のスピーカは、好ましい実施例においては、携帯通信機器のユーザに使用されることとなるヘッドセットである。スピーカの他の形は、携帯通信機器に組み込まれた、たとえばユーザの着物に装着された、又は物理的なテーブルに置かれた携帯通信機器の外部のスピーカでありうる。稼働中のパーテイの表示の起動は、この好ましい実施例において、写真の”話す頭部”、すなわち動く唇を伴う頭部の写真の稼動は、唇の動きが、２つのスピーカに提供される音声情報に同期するとした、良く知られた方法にしたがって行われる。他の形式の稼動は、表示を震わす、稼働しているパーテイの表示のズーミング又はアニメーション、又は他のアニメーション効果を使用して、表示の色又は大きさを変える、テキストをハイライト表示する等で可能である。
【００５７】
したがって、携帯通信機器１００のユーザは、画面１１０上で選択された映像位置で、パーテイの起動された表示を見て、音声スペースの関連した位置に提供され、２つのスピーカ１０８で提供されることとなる音声情報を認知する。前記パーテイからの音声情報が、画面１１０上でそのパーテイの起動された表示の位置に位置しているとして認知されるので、ユーザは、したがって、どのパーテイが稼動中であるかをより容易に識別することが出来る。
【００５８】
映像位置と音声位置とが関連し、例えば、本発明の好ましい実施例によれば、ヘッドセットを使用することで、映像表示は画面の右側に示され、音声情報は音声スペースの右側に位置するものとして認知されるような音声スペースに位置していると認知される音声情報の提供と同時に、稼動中のパーテイの映像位置に配置される、稼動された映像表示を提供することで、携帯通信機器のユーザは、稼働中のパーテイを容易に識別できる利点を有する。携帯通信機器のユーザはまた、自分自身の表示があるので、稼働中のパーテイを容易に識別できる利点を有する。その場合、接続されたパーテイに関連した表示がなくなった場合には、初期設定の表示が使われる。
【００５９】
この好ましい実施例によれば、携帯通信機器１００は、音声通信で結合されている全ての他のパーテイを個別の音声チャンネルに接続する。前記携帯通信機器１００の制御ユニット１０６は、前記通信ユニット１０２がどの音声チャンネルでパーテイからの音声情報を受信するかを判断し、したがって、どのパーテイが前記音声情報の出どころなのかを判断する。複数の音声チャンネルにアクセスすることで、制御ユニット１０６はどのパーテイが稼動中なのかを判断できる。
【００６０】
この好ましい実施例によれば、携帯通信機器１００のユーザより発生された声もまた、通信ユニット１０２で送信される前に音声処理ユニット１０４で処理される。しかしながら、この送信されることとなる音声ストリームの処理は、単一の音声ストリームの処理を含み、したがって、本発明の好ましい実施例によれば、２つの音声ストリームの前記音声ストリームの分割は含まない。
【００６１】
携帯通信機器を少なくとも２つの他のパーテイに結合する本発明の他の実施例によれば、音声通信に結合されることとなる通信接続機器が使用される。そのような通信接続機器は、模式的に図３に示され、そして、そのような１つの通信接続機器４０６を使用して、２つの他のパーテイ４０８及び４１０のそれぞれに音声通信において結合している、携帯通信機器４０２のシステムを模式的に示す図４に関連して説明され、そこでは、携帯通信機器４０２は、電波で基地局４０４を介して通信接続機器４０６と通信する。
【００６２】
この実施例によれば、通信接続機器３００の制御ユニット３１４は、パーテイＡ４０８又はパーテイＢ４１０が音声情報を提供しているときは、備えられた送受信機３１０又は３１２のどちらで音声情報が受信されたかを判断する。その場合、どの送受信機が音声情報を受信しているのかを、もしあれば決定し、制御ユニット３１４は、接続されたパーテイとの間で音声情報を切り替えるように構成されたスイッチコア３０８に制御情報を送信する。携帯通信機器４０２からの制御情報を受信すると、制御ユニット３１４は、音声情報の処理のために、制御情報を音声処理ユニット３０６に送信し、それにより、稼働中のパーテイの位置に位置しているとして認識される。この処理は、また、音声情報を２つのストリームに分割することを含み、制御ユニット３１４で受信した制御情報にしたがって処理する。好ましい処理は、お互い関連させて、たとえば、前記２つの重み付け及び／又は前記２つのストリームの一方又は他方の遅延による、前記２つのストリームの振幅変調を含む。音声処理ユニット３０６によるこの音声処理に引き続き、マルチプレクサ／デマルチプレクサ３０４は２つの処理された音声ストリームを１つのストリームに多重化し、後の基地局４０４から携帯通信機器４０２への送信のために、制御ユニット３１４からの制御情報に基づいて、このストリームを送受信機３０２に送信する。
【００６３】
かくして、制御情報を携帯通信機器４０２から通信接続機器３００、４００に送信することで、稼動中のパーテイからの音声情報の処理が実行され、それにより、携帯通信機器４０２で受信された処理後の音声情報は、稼動中のパーテイの位置に配置されるとして認識される。
【００６４】
携帯通信機器が音声情報を提供しているときは、この音声情報は通信接続機器３００の送受信機３０２により受信され、音声処理ユニット３０６において音声処理されることとなる。制御情報が第２携帯通信機器から受信されないときは、本発明によれば、たとえば、その後のパーテイＡ４０８及びパーテイＢ４１０などの他の接続されたパーテイへのスペース上でない音声情報の提供用に、音声処理ユニットに音声情報を２つの音声ストリームに分割し、受信した情報に従って分割したストリームを処理するように注文することで、第１携帯機器からの音声情報は単一の音声ストリームとして処理される。
【００６５】
通信接続機器と同様に携帯通信機器は、会議の目的で使用することが出来、そのために、第１携帯通信のユーザは、会議を設定し、参加するパーテイへの接続を起動する。この会議モードにおいては、各参加者は、したがって、他のパーテイの会話を聞くことが出来る。
【００６６】
好ましい実施例における動作のモードは、会議通話モードである。使用における他のモードは、マルチパーテイ通話モードであり、本発明によれば、そこでは、数パーテイが携帯通信機器に接続される。ここで、前記携帯通信機器の使用者は、そのとき、パーテイの１人またはサブセットと話す、又は通信するかを選ぶ権限を持つ。他の参加者、すなわち選ばれなかった者は、したがって、携帯通信機器のユーザが話していることを聞くことは出来ない。
【００６７】
本発明における携帯通信機器は、ビデオ会議に参加するとき、またビデオ会議機器の代りとして使うことが出来る。したがって、接続された他のパーテイからの音声情報は、上述したように扱われる。携帯通信機器のユーザにより、ユーザがユーザ自身を記録するカメラが使われないときは、他の参加パーテイは、その携帯通信機器のユーザの声のみを聞くことが出来る。さらに、ユーザは、携帯通信機器でタッチスクリーンを使用して書き、描くことで情報を創作し、創作した情報をビデオ会議に参加している他のパーテイに送信することが出来る。または、ユーザは、他のパーテイにビデオフィルムを送信することが出来る。携帯通信機器の画面で、ビデオ会議の他の参加者は、見ることが出来る。
【００６８】
たとえば、マルチパーテイ通話モードにおいて携帯通信機器を用いて、パーテイがお互いを知ることなしに、デイーラは１つのラインのカストマ、及び他の接続されたラインのサプライヤと話すことが出来る。
【００６９】
携帯通信機器は、さらに会議通話又はマルチーパーテ通話に参加しているパーテイの異なる表示にリンクされたショートノートを作成する可能性をユーザに提案する。たとえば、パーテイからの入札が、どのパーテイが実際にその入札をしたのかを思い出す手助けをするように、パーテイの表示の位置に記録することが出来る。
【００７０】
携帯通信機器のユーザは、さらに正式な議長として振舞い、そのモードで、話しているとき、携帯通信機器の画面上のパーテイの表示をクリックすることで、聞かれてもよい部分を判断する。携帯通信機器のユーザによりクリックされた表示のパーテイは、”この言葉はあなたのものです”の音声プロンプトを受信し、音声チャンネルに割り当てられる。  マルチパーテイ通話モード又は会議通話モードのいずれか一方において、携帯通信機器のユーザは、さらにパーテイに接続する又はすでに参加しているメンバーの接続を切断することを決定することが出来る。会議中に、携帯通信機器のユーザは、４番目のパーテイからの呼び出しを受け、ユーザは呼び出しに応答し、この４番目のパーテイの接続を決定し、その後、会議は４パーテイで進行出来る。
【００７１】
上記するように、ユーザはまた、ＭＭＳ上で、またはＥメールで資料を送信することで、接続されたパーテイと情報を共有することが出来る。携帯通信機器のメモリに格納されたあるいはネットワークから受信した情報に基づき、携帯通信機器は、いかに資料を送信するのかを判断する。ＧＳＭで接続されたパーテイは、好ましい選択として、ＭＭＳを介して情報を受け、一方、地上の通信線で接続されれば、Ｅメールを介して前記情報を受信する。
【００７２】
本発明は、同時に複数のチャンネルを接続させるのに利用する。ＶｏＩＰ（ＩＰを介した音声）が導入され、複数の同時チャンネルの利用が増加し、本発明の重要性が増加する。本発明は、多くの方法で変形され、以下の変形の実施例は多くの例の一部であることを強調しておく。したがって、これらの実施例は限定しない例である。しかしながら、本発明の範囲は、したがって、添付された請求範囲により限定される。
【００７３】
本発明の他の実施例においては、１つの情報提示ユニットはタッチスクリーンで、それは又、ユーザ入力ユニットとして機能する。
【００７４】
本発明の他の実施例によれば、提供された音声情報は、２つのストリームの重み付けられた音に依存する必要はなく、しかしむしろ、音声情報は、携帯通信機器のユーザに第１パーテイの音声を左のスピーカだけでサービスし、第２パーテイの音声を右のスピーカだけでサービスし、第３パーテイの音声を両方のスピーカで同時にサービスするように、１つのチャンネルに提供できる。
【００７５】
本発明のさらに他の発明においては、音声スペースにおける音の提示は、映像スペースへ表示の提供をすることなしに、それ自身で提供出来る。
【００７６】
本発明のさらに他の発明においては、映像スペースにおける表示の提示は、音声スペースへ音の提供をすることなしに、それ自身で提供出来る。
【００７７】
本発明のさらに他の発明においては、携帯通信機器のユーザは、表示のスペース位置との関係において、デカルト座標のような座標系において座標を入力することにより、又は極座標系において距離と角度を入力することにより、参加するパーテイの位置を選択することが出来る。
【００７８】
本発明のさらに他の発明においては、２つ以上の他のパーテイが会議通話モード又はマルチパーテイモードに参加できる。
【００７９】
本発明のさらに異なる発明においては、稼働中のパーテイにより、携帯通信機器のバイブレータを、異なる間隔及び／又は異なる強さで振動させることで、種々の振動を発生させることによりどのパーテイが稼動しているかをユーザに喚起する。
【００８０】
かくして説明されてきた本発明である携帯通信機器により、音声通信において、携帯通信機器を他のパーテイに結合する方法、通信接続機器及びそのような携帯通信機器及び通信接続機器を備えるシステムは、次のような利点を有する。
【００８１】
本発明における携帯通信機器を使用することにより、ユーザは、会議通話及びマルチパーテイ通話において、誰が何を話しているのかをより簡単に追跡することが出来る。
【００８２】
本願の他の利点は、携帯会議機器のユーザが、稼動中のパーテイを識別できる点にある。
【００８３】
本願の他の利点は、複数の回線が使われ、通話がより多くの通話であるので、ネットワーク運用者は、より多くの収益を受けることにある。
【００８４】
本願発明の、さらに他の利点は、高価で、重く、固定され、より大きな場所を必要とするビデオ会議機器の代りに、携帯通信機器が使うことが出来ることにある。
【００８５】
さらにまた、他の利点は、本発明が会議ブリッジ又は会議通話を設定する会議サービスの発呼の必要性を回避することにある。これは、より安価で、安全ま内部会議通話を可能とすることにある。
【図面の簡単な説明】
【００８６】
【図１】本発明における携帯通信機器の模式的な表示を示す図である。
【図２】本発明の好ましい実施例の１つにおける、音声通信における携帯通信機器を少なくとも２つの他のパーテイと結合する方法のフローチャートを示す図である。
【図３】本発明の好ましい実施例の１つにおける、音声通信において、本発明による携帯通信機器と少なくとも２つの他のパーテイとの間に結合される通信接続機器を示す図である。
【図４】本発明における、音声通信において結合されることとなる携帯通信機器、通信接続機器及び少なくとも２つの他のパーテイのシステムを示す図である。
【図１】
0004602978.tif 000002
【図２】
0004602978.tif 000003
【図３】
0004602978.tif 000004
【図４】
0004602978.tif 000005